(57)【要約】【課題】頭髪を直接照明することにより、整髪等をし易くするとともに、頭皮を効果的に暖めることができるようにしたヘアードライヤを提供する。【解決手段】空気吹出口１と空気吸引口２を有する本体ケース３内に、ヒータ７と送風ファン６とを収容してなるヘアードライヤにおいて、本体ケース３における空気吹出口１の近傍に、該空気吹出口１よりの送風方向に向かって光を照射する光源１１を設ける。【選択図】図１
2008229176.tif 000002
【特許請求の範囲】
【請求項１】
空気吹出口と空気吸引口を有する本体ケース内に、ヒータと送風ファンとを収容してなるヘアードライヤにおいて、
前記本体ケースにおける空気吹出口の近傍に、該空気吹出口よりの送風方向に向かって光を照射する光源を設けたことを特徴とするヘアードライヤ。
【請求項２】
光源を、空気吹出口を囲むようにして複数設けたことを特徴とする請求項１に記載のヘアードライヤ。
【請求項３】
光源を、赤外線発光ダイオードとしてなることを特徴とする請求項１または２に記載のヘアードライヤ。
【請求項４】
赤外線発光ダイオードにおける光の照射方向側に、光拡散レンズを設けたことを特徴とする請求項３に記載のヘアードライヤ。
【請求項５】
本体ケースの空気吹出口部に、この空気吹出口と連通する第２の空気吹出口を有するヘアーブラシを取付けてなるブラシ付きのヘアードライヤにおいて、前記ヘアーブラシのケースに、前記第２の空気吹出口よりの送風方向に向かって光を照射する光源を設けてなることを特徴とする請求項２ないし４のいずれかに記載のヘアードライヤ。
【発明の詳細な説明】
【技術分野】
【０００１】
本発明は、送風方向に向かって光を照射するようにしたヘアードライヤに関する。
【背景技術】
【０００２】
従来のヘアードライヤとしては、例えば特許文献１及び２に記載されているように、マイナスイオンを放出するものがある。
【０００３】
【特許文献１】特開２００４−２２２７５１号公報
【特許文献２】特開２００５−３４９１３９号公報
【発明の開示】
【発明が解決しようとする課題】
【０００４】
上記特許文献１及び２に記載されているヘアードライヤは、いずれも、マイナスイオンによる頭髪のトリートメント効果は期待できるものの、送風方向の頭髪を直接照明することができないため、薄暗い室内で髪を乾かしたり、整髪したりする際に不便である。
【０００５】
また、マイナスイオンでは、赤外線のような暖かさを感じないので、頭皮を暖めて細胞を活性化させるという効果は期待できない。
【０００６】
本発明は、上記問題点を解決するためになされたもので、頭髪を直接照明することにより、整髪等をし易くするとともに、頭皮を効果的に暖めることができるようにしたヘアードライヤを提供することを目的としている。
【課題を解決するための手段】
【０００７】
上記課題を解決するために、本発明の請求項１に記載のヘアードライヤは、
空気吹出口と空気吸引口を有する本体ケース内に、ヒータと送風ファンとを収容してなるヘアードライヤにおいて、
前記本体ケースにおける空気吹出口の近傍に、該空気吹出口よりの送風方向に向かって光を照射する光源を設けたことを特徴としている。
この特徴によれば、頭髪を直接照明することができるので、薄暗い室内でも、整髪等を容易に行うことができる。また、光源からの光により、頭皮が暖められるので、細胞が活性化し、血行等が良くなる。
【０００８】
本発明の請求項２に記載のヘアードライヤは、請求項１に記載のヘアードライヤであって、
光源を、空気吹出口を囲むようにして複数設けたことを特徴としている。
この特徴によれば、頭髪における風があたる部分に、光が広範囲に照射されるので、請求項１の効果が大となる。
【０００９】
本発明の請求項３に記載のヘアードライヤは、請求項１または２に記載のヘアードライヤであって、
光源を、赤外線発光ダイオードとしてなることを特徴としている。
この特徴によれば、光源を小型化しうるので、本体ケースに容易に組み付けることができるとともに、消費電力も小さくて済む。また、赤外線効果により、頭皮をより効果的に暖めることができる。
【００１０】
本発明の請求項４に記載のヘアードライヤは、請求項３に記載のヘアードライヤであって、
赤外線発光ダイオードにおける光の照射方向側に、光拡散レンズを設けたことを特徴としている。
この特徴によれば、点光源である発光ダイオードの光を、光拡散レンズにより拡散して照射しうるので、最小限の数の発光ダイオードで頭髪を広範囲に照明することができる。
【００１１】
本発明の請求項５に記載のヘアードライヤは、請求項２ないし４のいずれかに記載のヘアードライヤであって、
本体ケースの空気吹出口部に、この空気吹出口と連通する第２の空気吹出口を有するヘアーブラシを取付けてなるブラシ付きのヘアードライヤにおいて、前記ヘアーブラシのケースに、前記第２の空気吹出口よりの送風方向に向かって光を照射する光源を設けたことを特徴としている。
この特徴によれば、ヘアーブラシ付きのヘアードライヤであっても、上記請求項１ないし４と同様の効果を得ることができる。また、ヘアーブラシで髪をとかしながら、光源の光を至近距離から頭皮に直接照射しうるので、特に、光源に赤外線発光ダイオードを使用した際に、その光量が少なくても頭皮を効果的に暖めることができる。
【発明を実施するための最良の形態】
【００１２】
以下、本発明の実施形態を、図面に基づいて説明する。
【００１３】
図１は、本発明のヘアードライヤの第１の実施形態を示す中央縦断側面図、図２は、同じく拡大正面図である。
【００１４】
この実施形態のヘアードライヤは、前面（以下、図１の左方を前として説明する）に空気吹出口１を有するとともに、後面に空気吸引口２を有する円筒状の本体ケース３と、そのやや後方寄りの下面に折り畳み可能に取り付けられた把手部４とを備えている。
【００１５】
本体ケース３内には、モータ５と、このモータ５により回転させられる送風ファン６と、モータ５及び送風ファン６の前方にヒータユニット７とが収納され、把手部４に設けた切換スイッチ８を押動操作すると、モータ５及び送風ファン６が回転し、かつヒータユニット７がオンまたはオフとなることにより、空気吹出口１より、冷風または温風が吹き出されるようになっている。
【００１６】
本体ケース３における空気吹出口１と近接する外周面には、環状の光源取付部材９が取付けられ、この光源取付部材９には、複数（本実施形態では４個）の前方に開口する楕円形の取付孔１０が、円周方向に等間隔おきに設けられている。
【００１７】
各取付孔１０内には、例えば赤色系の赤外線発光ダイオード（以下、ＬＥＤと略称する）１１が、光が前方に向かって、すなわち空気吹出口１よりの送風方向に向かって照射されるように設けられている。
【００１８】
各ＬＥＤ１１には、波長が０．７５〜１０００ミクロンの赤外線、好ましくは、３〜２０ミクロンの遠赤外線が放射されるものが用いられている。
【００１９】
各ＬＥＤ１１は、本体ケース３内に設けた直流電源変換器１２に接続され、上記切換スイッチ８を操作することにより、直流電源変換器１２より給電されて点灯するようになっている。
【００２０】
各取付孔１０におけるＬＥＤ１１よりも前方の開口部には、凸レンズ状の光拡散レンズ１３が嵌合されている。この光拡散レンズ１３は、前面を鋸歯状の凹凸面としたものであってもよい。
【００２１】
このような光拡散レンズ１３を設けると、点光源であるＬＥＤ１１の欠点を解消し、その光を広範囲に拡散して前方に照射することができる。
【００２２】
以上説明したように、上記第１の実施形態のヘアードライヤにおいては、本体ケース３における空気吹出口１と近接する外周面に、赤外線を放射する複数のＬＥＤ１１を、空気吹出口１を囲むように、かつ前方に光が照射されるように設けたことにより、ヘアードライヤの使用時に、頭髪を円形状に直接照明することができ、薄暗い室内でも、整髪等を容易に行うことができる。
【００２３】
また、頭皮がＬＥＤ１１の光、特に赤外線により暖められるので、細胞が活性化し、血行等が良くなる。
【００２４】
図３ないし図６は、本発明の第２の実施形態、すなわちブラシ付きのヘアードライヤを示す。
【００２５】
この実施形態のヘアードライヤの本体ケース１４は、前後方向に細長い円筒状をなし、前端と後端には、上記と同様の空気吹出口と空気吸引口が、また内部には、モータ、送風ファン、ヒータユニット、直流電源変換器（いずれも上記実施形態と同部材につき図示略）が設けられている。
【００２６】
本体ケース１４の前端部外周面には、ヘアーブラシ１５における前端が閉塞されたケース１６の後端部が取り付けられている。
【００２７】
ケース１６における多数のピン１７が植設されたブラシ面１８の中央部には、前後方向を向くとともに、本体ケース１４の空気吹出口と連通する第２の空気吹出口１９が設けられている。
【００２８】
ケース１６の両側面には、光源取付部２０、２０が、長手方向に沿って一体的に形成され、両光源取付部２０には、図６に示すように、前後方向に長い、第２の空気吹出口１９と同じ開口方向に開口する複数の取付孔２１が設けられている。
【００２９】
各取付孔２１内には、上記第１の実施形態と同様の赤外線発光ダイオードすなわちＬＥＤ１１が、光が空気吹出口１９よりの空気の吹出し方向と同方向に照射されるように収納されている。このＬＥＤ１１の前方における取付孔２１の開口部には、上記と同様、凸レンズ状の光拡散レンズ２２が嵌合されている。
【００３０】
各ＬＥＤ１１は、ヘアードライヤの本体ケース１４に設けた切換スイッチ２３を押動操作することにより、本体ケース１４より吹き出される冷風又は温風と共に点灯するようになっている。
【００３１】
この第２の実施形態のヘアードライヤにおいても、頭髪をヘアーブラシ１５によりとかしながら、ＬＥＤ１１の光により頭髪を照明しうるので、薄暗い室内での整髪が容易となる。
【００３２】
また、ヘアーブラシ１５で髪をとかしながら、ＬＥＤ１１の光を至近距離から頭皮に直接照射しうるので、赤外線効果により、頭皮をより効果的に暖めることができ、細胞が活性化して血行等が良くなる。
【００３３】
なお、ヘアーブラシ１５は、ヘアードライヤの本体ケース１４に、着脱式に取り付けるものであってもよい。この際には、本体ケース１４とヘアーブラシ１５との取付部に、ＬＥＤ１１に給電するための接続端子等を設けたり、ヘアーブラシ１５のケース１６内に蓄電池や充電式の電池を収容するなどして、ＬＥＤ１１を点灯させるようにすればよい。
【００３４】
また、ＬＥＤ１１をピン１７が植設されたブラシ面１８の直下に設け、さらにピン１７を透明材にて形成することで、ピン１７の先端部（端面）から照射されるＬＥＤ１１の光にて頭髪を照明するとともに、頭皮に直接照射するようにしてもよい。
【００３５】
上記実施形態では、光源にＬＥＤ１１を用いたが、通常の赤外線ランプを使用することもある。
【図面の簡単な説明】
【００３６】
【図１】本発明の第１の実施形態のヘアードライヤを示す中央縦断側面図である。
【図２】同じく、拡大正面図である。
【図３】同じく、第２の実施形態のヘアードライヤの側面図である。
【図４】同じく、ブラシ部を拡大して見た側面図である。
【図５】同じく、正面図である。
【図６】図５のVI−VI線の拡大縦断側面図である。
【符号の説明】
【００３７】
１                空気吹出口
２                空気吸引口
３                本体ケース
４                把手部
５                モータ
６                送風ファン
７                ヒータユニット
８                切換スイッチ
９                光源取付部材
１０              取付孔
１１              赤外線発光ダイオード（光源）
１２              直流電源変換器
１３              光拡散レンズ
１４              本体ケース
１５              ヘアーブラシ
１６              ケース
１７              ピン
１８              ブラシ面
１９              第２の空気吹出口
２０              光源取付部
２１              取付孔
２２              光拡散レンズ
２３              切換スイッチ
【図１】
2008229176.tif 000003
【図２】
2008229176.tif 000004
【図３】
2008229176.tif 000005
【図４】
2008229176.tif 000006
【図５】
2008229176.tif 000007
【図６】
2008229176.tif 000008